(57)【要約】【課題】携帯可能であり且つ大量の画像データを内蔵可能とする。【解決手段】携帯可能な寸法形状に形成されている外筐体２を備え、外筐体２の一方の端面に投射レンズ３を設け、投射レンズ３の内側に液晶ディスプレイを設ける。また、外筐体の他方の端面にメモリカード４０を装着するスロットを備える。メモリカード４０に記憶されている画像データは、画像データ処理部によってデコードされ、デコードされた画像データに基づいた画像が、液晶ディスプレイに表示される。そして、外筐体２に収納されている光源が液晶ディスプレイを照射し、液晶ディスプレイの透過光を投射レンズ３が拡大して投射することによって、液晶ディスプレイに表示された画像を投射する。【選択図】  図１
2004246209.tif 000002
【特許請求の範囲】
【請求項１】
供給された画像データに基づく画像を形成する画像形成手段と、上記画像形成手段に対して光を照射する光源と、上記光源が上記画像形成手段に対して光を照射しているときに上記画像形成手段によって形成された画像を投射する投射手段と、画像データが記憶されたリムーバブルな半導体メモリを装着するメモリ装着部と、上記半導体メモリに記録された画像データを読み出して上記画像形成手段に供給する読み出し部とを、携帯可能である外筐体内に備えること
を特徴とするプロジェクタ装置。
【請求項２】
上記外筐体を支持するスタンドを備えること
を特徴とする請求項１記載のプロジェクタ装置。
【請求項３】
上記スタンドは、上記画像形成手段による画像の投射方向を変化させること
を特徴とする請求項２記載のプロジェクタ装置。
【発明の詳細な説明】
【０００１】
【発明の属する技術分野】
本発明は、例えば液晶ディスプレイなどの画像表示板に表示された画像を投射し、スライドや壁などの被表示物に映し出すことが可能であるプロジェクタ装置に関する。
【０００２】
【従来の技術】
従来、スクリーンなどの被表示物に画像を映し出す装置として、プロジェクタ装置が使用されている。プロジェクタ装置は、例えば液晶ディスプレイなどの画像表示板に画像を表示するとともに画像表示板に対して光源からの光を照射し、画像表示板の透過光を被表示物に投射する。
【０００３】
このプロジェクタ装置は、一般に大型でかなりの重量を有しているために携帯性に欠けるので、常時携帯して使用することが困難となる。
【０００４】
そこで、携帯性を向上させたプロジェクタ装置として、小型プロジェクタ装置が提案されている（特許文献１参照。）。この小型プロジェクタ装置は、携帯可能である筐体に、光源と、投射する画像が描かれたフィルムを装着するフィルム装着部と、フィルムの透過光を投射する集光部とを備えており、フィルム装着部に装着されたフィルムを光源から出力された光が透過し、透過した光が集光部によって投射することで、被表示物上に画像を映し出す。
【０００５】
【特許文献１】
特開平１１−５２４８４号公報
【０００６】
【発明が解決しようとする課題】
ところで、以上説明した小型プロジェクタ装置では、投射する画像がフィルムに描かれている。また、装着部に装着可能なフィルムは１枚とされている。すなわち、内蔵される画像データは１画面分となる。
【０００７】
したがって、当該小型プロジェクタ装置を使用して、複数の画面分の静止画像を投射するときには、ユーザは、投射する画像が描かれたフィルムを、複数枚所持する必要が生じる。また、ユーザは、投射する画像を変更するために、装着部にフィルムを装着し直す必要が生じる。したがって、ユーザは、複数の画面分の静止画像を投射するために、フィルムの管理などの煩雑な作業を行う必要がある。
【０００８】
一方、近年、半導体メモリを利用したカード状の記録媒体であるメモリカードの大容量化が進み、音声データや画像データなど大容量のデータを記憶することが可能となってきている。このようなメモリカードは、例えばテープ状記録媒体やディスク状記録媒体よりも小型であるために、持ち運ぶことが前提とされる携帯型の電子機器用の記録媒体として用いることにより、電子機器をさらに小型化することが可能となる。
【０００９】
本発明は、以上説明した従来の実状に鑑みて提案されたものであり、携帯可能な形状であり、且つ複数の画像の画像データを内蔵することが可能であるプロジェクタ装置を提供することを目的とする。
【００１０】
【課題を解決するための手段】
本発明に係るプロジェクタ装置は、供給された画像データに基づく画像を形成する画像形成手段と、上記画像形成手段に対して光を照射する光源と、上記光源が上記画像形成手段に対して光を照射しているときに上記画像形成手段によって形成された画像を投射する投射手段と、画像データが記憶されたリムーバブルな半導体メモリを装着するメモリ装着部と、上記半導体メモリに記録された画像データを読み出して上記画像形成手段に供給する読み出し部とを、携帯可能である外筐体内に備えることを特徴とする。
【００１１】
【発明の実施の形態】
第１の実施の形態
以下、本発明の第１の実施の形態について、図面を参照しながら詳細に説明する。
【００１２】
図１に示すように、本発明を適用した携帯型プロジェクタ装置１は、長手方向の両端面の形状が略円形である略円柱形とされており、片手で保持可能な形状寸法に形成された外筐体２を備える。外筐体２は、両端部がそれぞれ回動可能に形成されている。一方の端部は、回動することにより投射する画像のサイズを手動で調整するサイズ調整部２ａとされ、他方の端部は回動することで携帯型プロジェクタ装置１の動作をオン又はオフとするスイッチ２ｂとされる。
【００１３】
外筐体２の一方の端面には、図２に示すように、スクリーンや壁などの被表示物に対して画像を投射する投射レンズ３が備えられており、投射レンズ３の内側には供給された画像データに基づいた画像を表示する液晶ディスプレイ４が備えられている。また、外筐体２の他方の端面には、図３に示すように、着脱可能な半導体メモリ（以下、メモリカードという。）４０が装着されるスロット５と、後述する充電池に外部から供給されたエネルギーを供給するための充電端子６とが備えられている。
【００１４】
外筐体２の側面には、投射する画像を制御するために操作する操作ボタン７と、例えば携帯型プロジェクタ装置１の電源がオンとなっているときや、後述する充電池に対して充電が行われているときなどに点灯する発光ダイオード８とが備えられている。
【００１５】
また、携帯型プロジェクタ装置１は、図４に示すように、液晶ディスプレイ４を照射する光源１０と、液晶ディスプレイ４を駆動するディスプレイ用ドライバ１１と、投射レンズ３を駆動するレンズ用ドライバ１２と、各部を動作させる電源となる充電池１３と、スロット５に接続されたインターフェイス（以下Ｉ／Ｆという。）１４と、各部から供給される信号を処理して各部を制御する信号処理部１５とを備える。光源１０と、ディスプレイ用ドライバ１１と、レンズ用ドライバ１２と、充電池１３と、Ｉ／Ｆ１４と、信号処理部１５とは、外筐体２に収納されている。
【００１６】
液晶ディスプレイ４は、ディスプレイ用ドライバ１１によって駆動されることで、信号処理部１５から出力される画像データに基づいた画像を表示し、光源１０から出力される光を透過する。
【００１７】
投射レンズ３は、液晶ディスプレイ４を透過した光を拡大して投射する。
【００１８】
スロット５は、メモリカード４０を装着する。スロット５にメモリカード４０が装着されると、メモリカード４０に記憶されているデータは、信号処理部１５によって読み出される。
【００１９】
メモリカード４０は、例えばメモリスティック（商標）など、いわゆるＳＳＦＤＣ（Ｓｏｌｉｄ  Ｓｔａｔｅ  Ｆｌｏｐｐｙ（Ｒ）  Ｄｉｓｋ  Ｃａｒｄ）と略称されるフラッシュＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）を用いたメモリカードや、いわゆるミニチュアカードなどの少なくとも画像データを記憶可能な半導体メモリであり、例えば１ＧＢのメモリ容量を有する。したがって、メモリカード４０は、大容量の画像データを記憶することができる。すなわち、携帯型プロジェクタ装置１は、大容量の画像データを内蔵することができ、例えば複数の静止画像を内蔵することや、動画像を内蔵することができる。
【００２０】
操作ボタン７は、例えば投射する画像を選択したり、投射されている画像の焦点を制御したり、投射されている画像をズームするなど、投射する画像を制御するために操作する。本実施の形態では、操作ボタン７は、外筐体２の長軸に沿った方向に回動可能とされるとともに、押圧可能とされている。例えば、操作ボタン７が操作によって画像を選択する設定とされているときには、ユーザは操作ボタン７を回動させることによって投射する画像を変化させ、所望の画像が投射されたときに操作ボタン７を押圧することによって投射する画像を決定する。
【００２１】
光源１０は、液晶ディスプレイ４に対して光を照射する。光源１０としては、例えば高輝度の発光ダイオードが使用される。
【００２２】
信号処理部１５は、メモリカード４０に記憶されている画像データに基づいた画像を、液晶ディスプレイ４に表示させる。また、信号処理部１５は、操作ボタン７からの入力に基づいて、投射する画像を制御する。さらに、信号処理部１５は、スイッチ２ｂからの入力に基づいて、光源１０をオン又はオフとする。
【００２３】
信号処理部１５は、Ｉ／Ｆ１４を介して供給された画像データをデコードする画像データ処理部３１と、操作ボタン７及びスイッチ２ｂからの入力に基づいて画像データ処理部３１や光源１０、投射レンズ３などを制御する制御部３２とを備える。
【００２４】
画像データ処理部３１は、メモリカード４０に記憶されている画像データを読み出して、デコードする。画像データ処理部３１がメモリカード４０に記憶されている画像データを読み出すと、画像データ処理部３１には、メモリカード４０に記憶されている画像データが、Ｉ／Ｆ１４を介して供給される。画像データ処理部３１は、供給された画像データをデコードする。デコードされた画像データは、ディスプレイ用ドライバ１１に供給される。
【００２５】
ディスプレイ用ドライバ１１は、供給された画像データに基づいて液晶ディスプレイ４を駆動し、液晶ディスプレイ４に画像を表示させる。
【００２６】
制御部３２は、入力スイッチ２ｂからの入力に基づいて、光源１０及び画像データ処理部３１を制御する。
【００２７】
具体的に説明すると、入力スイッチ２ｂが回動されることにより携帯プロジェクタ装置１の動作がオンとされたときには、入力スイッチ２ｂから携帯型プロジェクタ装置１を動作させる信号が制御部３２へ供給されて、光源１０をオンとするとともに、画像データ処理部３１によるメモリカード４０からの画像データの読み出しと読み出された画像データに対するデコード処理とを開始させる。また、入力スイッチ２ｂが回動されることにより携帯プロジェクタ装置１の動作がオフとされたときには、光源１０をオフとするとともに、画像データ処理部３１によるメモリカード４０からの画像データの読み出しと読み出された画像データに対するデコード処理とを終了させる。
【００２８】
また、制御部３２は、操作ボタン７からの入力に基づいて、画像データ処理部３１によるメモリカード４０からの画像データの読み出しや、読み出された画像データのデコードなどを制御することにより、投射する画像を制御する。具体的に説明すると、例えば操作ボタン７を操作することによって投射する画像を選択する設定とされているときには、操作ボタン７が所定の角度回動される毎に画像データ処理部３１によって読み出される画像データを変更させることで、投射する画像を変更する。そして、所望の画像が投射されたときに操作ボタン７を押圧することにより投射する画像が決定されたときには、画像データ処理部３１による画像データの読み出しを停止させる。
【００２９】
さらに、制御部３２は、操作ボタン７からの入力に基づいて投射レンズ３の位置を移動させ、投射されている画像の焦点を制御する。具体的に説明すると、例えば操作ボタン７を操作することによって投射されている画像の焦点を制御する設定とされているときには、操作ボタン７の回動に従ってレンズ用ドライバ１１を駆動し、投射レンズ３を、携帯型プロジェクタ装置１の長軸方向に沿って移動させる。そして、操作ボタン７を押圧することによって焦点制御が終了とされたときには、レンズ用ドライバ１２の駆動を停止させることで、投射レンズ３の移動を停止させる。
【００３０】
また、以上説明した携帯型プロジェクタ装置１は、図５に示すように、スタンド２５によって支持することができる。
【００３１】
スタンド２５は、携帯型プロジェクタ装置１を装着したときに、携帯型プロジェクタ装置１の向き、すなわち、画像を投射する方向を変化させることが可能であり、さらに携帯型プロジェクタ装置１の向きが所望の向きとなったときに、携帯型プロジェクタ装置１の向きを固定可能な構成とされていることが好ましい。
【００３２】
例えば、スタンド２５は、携帯型プロジェクタ装置１が装着される装着部２６と、装着部２６を回動可能に支持する支持部２７とを備える。携帯型プロジェクタ１を装着した状態で装着部２６を図中矢印Ａに示すように回動させ、携帯型プロジェクタ１を所定の向きとした状態で動作させることで、ユーザは、携帯型プロジェクタ装置１を手で保持することなく、所望の位置へ画像を映し出すことが可能となる。
【００３３】
スタンド２５は、充電端子６を介して充電池１３に対して電流を供給できる充電機能や、例えばパーソナルコンピュータなど外部の電子機器と接続して、接続した電子機器との間で画像データを送受信できる機能を備えることが好ましい。すなわち、スタンド２５は、いわゆるクレードルであっても良い。
【００３４】
つぎに、携帯型プロジェクタ１の動作について説明する。
【００３５】
先ず、スイッチ２ｂが回動されると、スイッチ２ｂから制御部３２へ携帯型プロジェクタ装置１を動作させるための信号が入力され、制御部３２が光源１０をオンとする。また、制御部３２は、画像データ処理部３１を制御し、画像データ処理部３１はメモリカード４０から画像データを読み出す。
【００３６】
次に、画像データ処理部３１には、Ｉ／Ｆ１４を介してメモリカード４０に記憶された画像データが供給される。画像データ処理部３１は、供給された画像データをデコードし、ディスプレイ用ドライバ１１に供給する。
【００３７】
次に、ディスプレイ用ドライバ１１は、供給された画像データに基づいて液晶ディスプレイ４を駆動し、液晶ディスプレイ４に画像を表示する。
【００３８】
光源１０から出力された光は、液晶ディスプレイ４を透過する。液晶ディスプレイ４を透過した光は、液晶ディスプレイ４に表示された画像によって制御されている。液晶ディスプレイ４を透過した光は、投射レンズ３によって拡大されて投射される。液晶ディスプレイ４を透過した光が投射されることにより、被表示物には液晶ディスプレイ４に表示された画像が映し出される。
【００３９】
投射されている画像を制御するときには、ユーザは、操作ボタン７を操作して画像を制御する。例えば、投射されている画像の焦点を合わせるときには、ユーザは、操作ボタン７を画像の焦点を制御する設定とし、操作ボタン７を回動することによって焦点を制御し、合焦したときに操作ボタン７の回動を停止して操作ボタン７を押圧する。また、投射されている画像のサイズを変更するときには、ユーザは、サイズ調整部２ａを回動して所望のサイズとする。また、投射されている画像を変更するときには、ユーザは、操作ボタン７を画像の選択を行う設定とし、操作ボタン７を回動することによって画像を変更し、所望の画像が映し出されたときに操作ボタン７の回動を停止して操作ボタン７を押圧する。
【００４０】
そして、スイッチ２ｂが回動されると、スイッチ２ｂから制御部３２へ携帯型プロジェクタ装置１の動作を停止する信号が入力される。動作を停止する信号が入力されると、制御部３２は、光源１０をオフとするとともに画像データ処理部３１による画像データのデコードを停止させる。
【００４１】
以上説明したように、本発明を適用した携帯型プロジェクタ装置１は、携帯可能な寸法形状に形成されているとともに、外筐体２にメモリカード４０を装着するスロット５が設けられている。携帯型プロジェクタ装置１では、画像データ処理部３１がスロット５に装着されたメモリカード４０に記憶された画像データをデコードし、デコードされた画像データに基づいた画像が液晶ディスプレイ４に表示される。そして、光源１０が液晶ディスプレイ４を照射し、液晶ディスプレイ４の透過光を投射レンズ３が拡大して投射することによって、液晶ディスプレイ４に表示された画像を被表示物上に映し出すことが可能となる。
【００４２】
また、メモリカード４０は、大容量の画像データを記憶することが可能な半導体メモリである。
【００４３】
すなわち、本発明を適用した携帯型プロジェクタ装置１は、携帯可能な形状に形成されており、且つ大容量の画像データを内蔵可能となるために、複数の静止画像データを内蔵することが可能となる。したがって、本発明を適用した携帯型プロジェクタ装置１は、携帯可能であり、且つ記録媒体の入れ替えなどの煩雑な作業を行うことなく複数の静止画像を表示可能なものとなる。
【００４４】
また、メモリカード４０は、大容量の画像データを記憶することが可能であるために、動画像データを記憶することができる。すなわち、携帯型プロジェクタ装置１は、動画像を内蔵することができる。したがって、携帯型プロジェクタ装置１は、画像データ処理部３１が動画像をデコードできる構成とすることにより、携帯可能であり、且つ動画像を投射することが可能なものとなる。
【００４５】
なお、携帯型プロジェクタ装置１は、各部を動作させるための電源として充電池１３の他に乾電池を使用できる構成とすることが好ましい。電源として乾電池を使用できる構成とすることにより、携帯型プロジェクタ装置１は、充電池１３に蓄えられているエネルギーがなくなったときにも、画像を投射することが可能となる。
【００４６】
なお、携帯型プロジェクタ装置１は、図６に示すように、外筐体２の他方の端面に、２つのスロット５ａ、５ｂが設けられた構成としても良い。２つのスロット５ａ、５ｂが設けられることにより、携帯型プロジェクタ装置１は、２枚のメモリカード４０を装着可能となり、さらに大容量の画像データを内蔵することが可能となる。
【００４７】
なお、携帯型プロジェクタ装置１は、例えばパーソナルコンピュータから供給される画像データなど、外部から供給された画像データが入力される入力端子を備え、外部から供給された画像データに基づいた画像を投射可能な構成としても良い。
【００４８】
外部から画像データが供給されるときには、画像データ処理部３１が供給された画像データをエンコードし、エンコードした画像データをメモリカード４０に記録できる構成とすることが好ましい。
【００４９】
第２の実施の形態
つぎに、本発明の第２の実施の形態について説明する。なお、以下の説明では、第１の実施の形態で説明した携帯型プロジェクタ装置１と同等な構成、部位、機能については説明を省略し、また、図面では同じ符号を付する。
【００５０】
図７に示すように、本発明を適用した携帯型プロジェクタ装置５０は、外筐体２の側面に、音声を放音するスピーカ５１が設けられている。
【００５１】
また、携帯型プロジェクタ装置５０は、図８に示すように、各部から供給された信号を処理して各部を制御する信号処理部５２と、信号処理部５２から出力された音声データをデジタルアナログ変換（以下、Ｄ／Ａ変換という。）するＤ／Ａ変換部５３と、Ｄ／Ａ変換部５３から供給された音声データを増幅してスピーカ５１へ供給するアンプ５４とを備える。
【００５２】
信号処理部５２は、音声データ処理部５５を備える。
【００５３】
音声データ処理部５５は、メモリカード４０に記憶されている音声データを読み出して、デコードする。音声データ処理部５５がメモリカード４０に記憶されている音声データを読み出すと、音声データ処理部５５には、Ｉ／Ｆ１４を介してメモリカード４０に記憶されている音声データが供給される。音声データ処理部５５は、供給された音声データをデコードする。デコードされた音声データは、Ｄ／Ａ変換部５３に供給される。
【００５４】
音声データ処理部５５によってデコードされた音声データは、Ｄ／Ａ変換部５３によってＤ／Ａ変換された後、アンプ５４によって増幅され、スピーカ５１に対して供給される。スピーカ５１は、アンプ５４から供給された音声データに基づいた音声を放音する。
【００５５】
以上説明したように、本発明を適用した携帯型プロジェクタ装置５０は、音声データ処理部５５が備えられており、メモリカード４０に記憶されている音声データをデコードできる。また、スピーカ５１を備え、デコードされた音声データに基づいた音声を放音することができる。
【００５６】
すなわち、本発明を適用した携帯型プロジェクタ装置５０によれば、画像を投射するとともに音声を放音することが可能となる。したがって、本発明を適用した携帯型プロジェクタ装置５０によれば、例えば画像データに基づいた画像を投射するとともに、投射されている画像に伴った音声を放音することが可能となる。
【００５７】
なお、携帯型プロジェクタ装置５０は、例えばパーソナルコンピュータから供給される音声データなど、外部から供給された音声データが入力される入力端子を備え、外部から供給された音声データに基づいた音声を放音可能な構成としても良い。
【００５８】
【発明の効果】
本発明に係る携帯型プロジェクタ装置は、外筐体が携帯可能な形状に形成されているとともに、リムーバブルな半導体メモリを装着する装着部を備えている。携帯型プロジェクタ装置では、装着部に装着された半導体メモリに記憶された画像データを読み出し部が読み出し、読み出された画像データに基づいた画像を、画像形成部が生成する。そして、光源が画像形成部を照射し、投射部が画像形成部の透過光を投射することによって、画像形成部によって形成された画像を被表示物上に映し出すことが可能となる。また、半導体メモリは、大容量の画像データを記憶することが可能である。
【００５９】
すなわち、本発明に係る携帯型プロジェクタ装置は、携帯可能な形状に形成されており、且つ大容量の画像データを内蔵可能なものとなる。したがって、本発明に係る携帯型プロジェクタ装置は、携帯可能であり、且つ複数の静止画像や、動画像を内蔵可能なものとなる。
【図面の簡単な説明】
【図１】本発明を適用した携帯型プロジェクタ装置の斜視図である。
【図２】同携帯型プロジェクタ装置の投射部を示す断面図である。
【図３】同携帯型プロジェクタ装置の底面図である。
【図４】同携帯型プロジェクタ装置のブロック図である。
【図５】同携帯型プロジェクタ装置がスタンドに装着されている状態を示す側面図である。
【図６】スロットが２つ設けられた携帯型プロジェクタ装置の底面図である。
【図７】本発明を適用した他の携帯型プロジェクタ装置の斜視図である。
【図８】同携帯型プロジェクタ装置のブロック図である。
【符号の説明】
１  携帯型プロジェクタ装置、２  外筐体、３  投射レンズ、４  液晶ディスプレイ、５  スロット、６  充電端子、７  操作ボタン、８  発光ダイオード、１０  光源、１１  ディスプレイ用ドライバ、１２  レンズ用ドライバ、１３  充電池、１４  Ｉ／Ｆ、１５  信号処理部、２５  スタンド、２６  装着部、２７  支持部、３１  画像データ処理部、３２  制御部、４０  メモリカード、５０  携帯型プロジェクタ装置、５１  スピーカ、５２  信号処理部、５３  Ｄ／Ａ変換部、５４  アンプ、５５  音声データ処理部
【図１】
2004246209.tif 000003
【図２】
2004246209.tif 000004
【図３】
2004246209.tif 000005
【図４】
2004246209.tif 000006
【図５】
2004246209.tif 000007
【図６】
2004246209.tif 000008
【図７】
2004246209.tif 000009
【図８】
2004246209.tif 000010